(57)【要約】        【課題】  チャイルドシート又は育児器具に関し、新生児、乳児等の年少者の頭部プロテクタの高さ調整装置であって、スライダーをベルトに沿ってスライドさせることで、頭部プロテクタの高さ調整を簡単に且つ迅速に行うことができるようにすることを目的とする。        【解決手段】  高さ調整装置50には、左右一対のベルト60、左右一対のスライダー70を備える。ベルト60には、スライダー70のスライド方向に沿ってロック溝63を複数設けている。スライダー70には、ベルト60の一つのロック溝63に弾性的にはまり込むことで、スライダー70のスライドを阻止するためのストッパー80、ストッパー80をロック溝63から待避させることで、スライダー70のスライドを可能とするためのロック解除操作部90を備える。    【選択図】    図１
2005075169.tif 000002
【特許請求の範囲】
【請求項１】
チャイルドシートの左右に対向する側壁部の対向間隔内に、年少者の頭部を保護する頭部プロテクタを高さ調整可能に取り付けるための高さ調整装置であって、
前記高さ調整装置には、
前記左右の側壁部のいずれか少なくとも一方の側壁部に、その上下方向に沿って取り付けられるベルトと、
前記一方の側壁部に対向する頭部プロテクタの側部に固定され、前記ベルトの長手方向に沿ってスライド可能に保持されるスライダーとを備え、
前記ベルトには、
前記スライダーのスライド方向に沿ってロック溝を複数設け、
前記スライダーには、
前記ベルトの一つのロック溝に弾性的にはまり込むことで、前記スライダーのスライドを阻止するためのストッパーと、
前記ストッパーを前記ロック溝から待避させることで、前記スライダーのスライドを可能とするためのロック解除操作部とを備えていることを特徴とするチャイルドシートの頭部プロテクタの高さ調整装置。
【請求項２】
請求項１に記載のチャイルドシートの頭部プロテクタの高さ調整装置において、
前記ベルトの前記ロック溝と、前記スライダーの前記ストッパーとの間には、
前記頭部プロテクタを下降方向に移動させる際に、前記ストッパーを前記ロック溝から待避させるためのテーパー面を形成していることを特徴とするチャイルドシートの頭部プロテクタの高さ調整装置。
【請求項３】
請求項２に記載のチャイルドシートの頭部プロテクタの高さ調整装置において、
前記左右の側壁部の対向間隔を、前記頭部プロテクタの下降方向に向かって徐々に狭めるとともに、最も窄まった対向間隔を、前記頭部プロテクタの左右の横幅未満に設定していることを特徴とするチャイルドシートの頭部プロテクタの高さ調整装置。
【請求項４】
請求項１〜３のいずれか１項に記載のチャイルドシートの頭部プロテクタの高さ調整装置において、
前記ベルトは、
前記頭部プロテクタの下降方向に位置する一端部を、前記側壁部に固定するとともに、
他端部を自由端部として、
前記自由端部から前記スライダーを取り外せるようにしていることを特徴とするチャイルドシートの頭部プロテクタの高さ調整装置。
【請求項５】
請求項４に記載のチャイルドシートの頭部プロテクタの高さ調整装置において、
前記側壁部には、
前記ベルトの前記自由端部を差し込み可能なポケット部を設けていることを特徴とするチャイルドシートの頭部プロテクタの高さ調整装置。
【請求項６】
育児器具の左右に対向する側壁部の対向間隔内に、年少者の頭部を保護する頭部プロテクタを高さ調整可能に取り付けるための高さ調整装置であって、
前記高さ調整装置には、
前記左右の側壁部のいずれか少なくとも一方の側壁部に、その上下方向に沿って取り付けられるベルトと、
前記一方の側壁部に対向する頭部プロテクタの側部に固定され、前記ベルトの長手方向に沿ってスライド可能に保持されるスライダーとを備え、
前記ベルトには、
前記スライダーのスライド方向に沿ってロック溝を複数設け、
前記スライダーには、
前記ベルトの一つのロック溝に弾性的にはまり込むことで、前記スライダーのスライドを阻止するためのストッパーと、
前記ストッパーを前記ロック溝から待避させることで、前記スライダーのスライドを可能とするためのロック解除操作部とを備えていることを特徴とする育児器具の頭部プロテクタの高さ調整装置。
【発明の詳細な説明】
【技術分野】
【０００１】
この発明は、チャイルドシート又は育児器具に関し、新生児、乳児等の年少者の頭部プロテクタの高さ調整装置であって、スライダーをベルトに沿ってスライドさせることで、頭部プロテクタの高さ調整を簡単に且つ迅速に行うことができるようにしたものである。
【背景技術】
【０００２】
従来、新生児、乳児等の年少者の頭部プロテクタを備えたチャイルドシートがあった（例えば、特許文献１〜２参照）。
上記した従来の頭部プロテクタは、取付ベルトを使用してチャイルドシートを固定していた（例えば、特許文献１〜２参照）。
なお、頭部プロテクタではないが、チャイルドシートのヘッドレストの高さ調整装置については、種々の提案がある（例えば、特許文献３〜７参照）。
【特許文献１】特開２０００−２９６７３４号公報（段落番号「０１９９」〜「０２１５」、図４２〜４３）
【特許文献２】特開２０００−１４２１９５号公報（段落番号「００２２」〜「００３７」、図１〜６）
【特許文献３】特開２００１−９７０８７号公報（図１〜３）
【特許文献４】特開平１０−１６６１８号公報（図３〜４）
【特許文献５】特開平８−５８４４７号公報（図１〜４）
【特許文献６】特開平５−２５４３６６号公報（図１〜７）
【特許文献７】実開平６−４２４６４号公報（図１〜２）
【発明の開示】
【発明が解決しようとする課題】
【０００３】
しかし、上記した従来の頭部プロテクタでは、その取付ベルトの長さを調整することで、頭部プロテクタの高さ調整を行うことができるが、取付ベルトの長さの調整を面倒で、手数が掛かるという問題点があった。
なお、従来のヘッドレストの高さ調整装置は、いずれも構造が複雑であり、頭部プロテクタの高さ調整装置には不向きであった。
【０００４】
そこで、各請求項にそれぞれ記載された各発明は、上記した従来の技術の有する問題点に鑑みてなされたものであり、その目的とするところは、次の点にある。
（請求項１）
請求項１に記載の発明は、チャイルドシートに関し、次の点を目的とする。
すなわち、請求項１に記載の発明は、スライダーをベルトに沿ってスライドさせることで、頭部プロテクタの高さ調整を簡単に且つ迅速に行うことができるようにしたものである。
（請求項２）
請求項２に記載の発明は、チャイルドシートに関し、上記した請求項１に記載の発明の目的に加え、次の点を目的とする。
【０００５】
すなわち、請求項２に記載の発明は、頭部プロテクタの下降を簡単に且つ迅速に行うことができるようにしたものである。
（請求項３）
請求項３に記載の発明は、チャイルドシートに関し、上記した請求項２に記載の発明の目的に加え、次の点を目的とする。
【０００６】
すなわち、請求項３に記載の発明は、頭部プロテクタの高さ調整装置の構造を簡単にすることができるようにしたものである。
（請求項４）
請求項４に記載の発明は、チャイルドシートに関し、上記した請求項１〜３のいずれか１項に記載の発明の目的に加え、次の点を目的とする。
【０００７】
すなわち、請求項４に記載の発明は、スライダーをベルトに沿ってスライドさせることで、頭部プロテクタを簡単に取り外すことができるようにしたものである。
（請求項５）
請求項５に記載の発明は、チャイルドシートに関し、上記した請求項４に記載の発明の目的に加え、次の点を目的とする。
【０００８】
すなわち、請求項５に記載の発明は、ベルトの自由端部をポケット部に差し込んむことで、簡単に収納することができるようにしたものである。
（請求項６）
請求項６に記載の発明は、育児器具に関し、次の点を目的とする。
すなわち、請求項６に記載の発明は、スライダーをベルトに沿ってスライドさせることで、頭部プロテクタの高さ調整を簡単に且つ迅速に行うことができるようにしたものである。
【課題を解決するための手段】
【０００９】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１０】
第一に、チャイルドシート(10)の左右に対向する側壁部（例えば頭部用のサイドサポート35）の対向間隔内に、例えば図１〜２に示すように、年少者の頭部を保護する頭部プロテクタ(40)を高さ調整可能に取り付けるための高さ調整装置(50)である。
第二に、高さ調整装置(50)には、例えば図１〜２に示すように、次の構成を備える。
（１）ベルト(60)
ベルト(60)は、例えば図１〜２に示すように、左右の側壁部（例えば頭部用のサイドサポート35）のいずれか少なくとも一方の側壁部（例えば頭部用のサイドサポート35）に、その上下方向に沿って取り付けられるものである。
【００１１】
（２）スライダー(70)
スライダー(70)は、一方の側壁部（例えば頭部用のサイドサポート35）に対向する頭部プロテクタ(40)の側部に固定され、ベルト(60)の長手方向に沿ってスライド可能に保持されるものである。
第三に、ベルト(60)には、例えば図３〜４に示すように、スライダー(70)のスライド方向に沿ってロック溝(63)を複数設けている。
【００１２】
第四に、スライダー(70)には、例えば図３〜１１に示すように、次の構成を備える。
（３）ストッパー(80)
ストッパー(80)は、例えば図４及び図６に示すように、ベルト(60)の一つのロック溝(63)に弾性的にはまり込むことで、スライダー(70)のスライドを阻止するためのものである。
【００１３】
（４）ロック解除操作部(90)
ロック解除操作部(90)は、例えば図８及び図１０に示すように、ストッパー(80)をロック溝(63)から待避させることで、スライダー(70)のスライドを可能とするためのものである。
（請求項２）
請求項２に記載の発明は、上記した請求項１に記載の発明の特徴点に加え、次の点を特徴とする。
【００１４】
すなわち、ベルト(60)のロック溝(63)と、スライダー(70)のストッパー(80)との間には、例えば図４に示すように、頭部プロテクタ(40)を下降方向に移動させる際に、ストッパー(80)をロック溝(63)から待避させるためのテーパー面(65)を形成している。
（請求項３）
請求項３に記載の発明は、上記した請求項２に記載の発明の特徴点に加え、次の点を特徴とする。
【００１５】
すなわち、左右の側壁部（例えば頭部用のサイドサポート35）の対向間隔を、例えば図２に示すように、頭部プロテクタ(40)の下降方向に向かって徐々に狭めるとともに、最も窄まった対向間隔を、頭部プロテクタ(40)の左右の横幅未満に設定している。
（請求項４）
請求項４に記載の発明は、上記した請求項１〜３のいずれか１項に記載の発明の特徴点に加え、次の点を特徴とする。
【００１６】
すなわち、ベルト(60)は、例えば図１〜２に示すように、頭部プロテクタ(40)の下降方向に位置する一端部（例えば取付部62）を、側壁部（例えば頭部用のサイドサポート35）に固定するとともに、他端部を自由端部(61)として、自由端部(61)からスライダー(70)を取り外せるようにしている。
（請求項５）
請求項５に記載の発明は、上記した請求項４に記載の発明の特徴点に加え、次の点を特徴とする。
【００１７】
すなわち、側壁部（例えば頭部用のサイドサポート35）には、ベルト(60)の自由端部(61)を差し込み可能なポケット部を設けている。
（請求項６）
請求項６に記載の発明は、次の点を特徴とする。
第一に、図示しないが、育児器具の左右に対向する側壁部（例えば頭部用のサイドサポート35）の対向間隔内に、年少者の頭部を保護する頭部プロテクタ(40)を高さ調整可能に取り付けるための高さ調整装置(50)である。
【００１８】
第二に、高さ調整装置(50)には、例えば図１〜２に示すように、次の構成を備える。
（１）ベルト(60)
ベルト(60)は、例えば図１〜２に示すように、左右の側壁部（例えば頭部用のサイドサポート35）のいずれか少なくとも一方の側壁部（例えば頭部用のサイドサポート35）に、その上下方向に沿って取り付けられるものである。
【００１９】
（２）スライダー(70)
スライダー(70)は、一方の側壁部（例えば頭部用のサイドサポート35）に対向する頭部プロテクタ(40)の側部に固定され、ベルト(60)の長手方向に沿ってスライド可能に保持されるものである。
第三に、ベルト(60)には、例えば図３〜４に示すように、スライダー(70)のスライド方向に沿ってロック溝(63)を複数設けている。
【００２０】
第四に、スライダー(70)には、例えば図３〜１１に示すように、次の構成を備える。
（３）ストッパー(80)
ストッパー(80)は、例えば図４及び図６に示すように、ベルト(60)の一つのロック溝(63)に弾性的にはまり込むことで、スライダー(70)のスライドを阻止するためのものである。
【００２１】
（４）ロック解除操作部(90)
ロック解除操作部(90)は、例えば図８及び図１０に示すように、ストッパー(80)をロック溝(63)から待避させることで、スライダー(70)のスライドを可能とするためのものである。
【発明の効果】
【００２２】
本発明は、以上のように構成されているので、以下に記載されるような効果を奏する。
（請求項１）
請求項１に記載の発明によれば、次のような効果を奏する。
すなわち、請求項１に記載の発明によれば、スライダーをベルトに沿ってスライドさせることで、頭部プロテクタの高さ調整を簡単に且つ迅速に行うことができる。
（請求項２）
請求項２に記載の発明によれば、チャイルドシートに関し、上記した請求項１に記載の発明の効果に加え、次のような効果を奏する。
【００２３】
すなわち、請求項２に記載の発明によれば、頭部プロテクタの下降を簡単に且つ迅速に行うことができる。
（請求項３）
請求項３に記載の発明によれば、チャイルドシートに関し、上記した請求項２に記載の発明の効果に加え、次のような効果を奏する。
【００２４】
すなわち、請求項３に記載の発明によれば、頭部プロテクタの高さ調整装置の構造を簡単にすることができる。
（請求項４）
請求項４に記載の発明によれば、チャイルドシートに関し、上記した請求項１〜３のいずれか１項に記載の発明の効果に加え、次のような効果を奏する。
【００２５】
すなわち、請求項４に記載の発明によれば、スライダーをベルトに沿ってスライドさせることで、頭部プロテクタを簡単に取り外すことができる。
（請求項５）
請求項５に記載の発明によれば、チャイルドシートに関し、上記した請求項４に記載の発明の効果に加え、次のような効果を奏する。
【００２６】
すなわち、請求項５に記載の発明によれば、ベルトの自由端部をポケット部に差し込んむことで、簡単に収納することができる。
（請求項６）
請求項６に記載の発明によれば、育児器具に関し、次のような効果を奏する。
すなわち、請求項６に記載の発明によれば、スライダーをベルトに沿ってスライドさせることで、頭部プロテクタの高さ調整を簡単に且つ迅速に行うことができる。
【発明を実施するための最良の形態】
【００２７】
（図面の説明）
図１〜１３は、本発明の実施の形態の一例をそれぞれ示すものである。
図１〜２は、チャイルドシートを示すものであり、図１は斜視図、図２は平面図をそれぞれ示すものである。
図３〜４は、高さ調整装置を示すものであり、図３は平面図、図４は一部を断面にした側面図をそれぞれ示すものである。
【００２８】
図５〜１１は、スライダーを示すものであり、図５は一部を切り欠いた平面図、図６は縦断面図、図７は側面図、図８は背面図、図９は図５のIX-IX線に断面図、図１０は図５のX-X線に断面図、図１１は図１０のXI-XI線に断面図をそれぞれ示すものである。
図１２〜１３は、ベルトを示すものであり、図１２は背面図、図１３は側面図をそれぞれ示すものである。
（チャイルドシート）
図中、10は、チャイルドシートを示すものである。
【００２９】
なお、チャイルドシート10を例に挙げて説明するが、チャイルドシート10に限らず、育児器具にも使用できる。育児器具については、図示しないが、例えばベビーカー、ベッド、チェア、バスケット、キャリア等が含まれる。
具体的には、チャイルドシート10は、図１〜２に示すように、大別すると、次のパーツを備える。
【００３０】
（１）座部20
（２）背もたれ部30
（３）頭部プロテクタ40
（４）高さ調整装置50
（座部20）
座部20は、図示しないが、自動車の座席にシートベルト等を使用して固定されるものである。
【００３１】
座部20には、図１〜２に示すように、バックル21を有する股ベルト22と、左右一対の胴体用のサイドサポート23,23が固定されている。
（背もたれ部30）
背もたれ部30は、図示しないが、座部20に回転可能に支持され、直立した位置から、図１〜２に示すように、座部20と水平に寝かせた位置に回転し、寝かせた状態ではベットとして使用できる。
【００３２】
背もたれ部30には、図１〜２に示すように、左右一対の肩掛けベルト31,31と、左右の肩掛けベルト31にそれぞれ通され、股ベルト22のバックル21に着脱可能な左右一対のタングプレート32,32と、左右のタングプレート32を介して折り返された左右の一対の腰ベルト33,33とを備える。
また、背もたれ部30の周囲には、図１〜２に示すように、ヘッドレスト34と、左右の側壁となる、左右一対の頭部用のサイドサポート35,35が固定されている。
【００３３】
上記左右の頭部用のサイドサポート35は、図２に示すように、下方に窄まった逆「ハ」の字形に配置されている。そして、頭部用のサイドサポート35の左右の対向間隔は、後述するが、頭部プロテクタ40の昇降が可能であって、最も窄まった下端部の対向間隔を、頭部用のサイドサポート35の左右の横幅未満に設定され、頭部プロテクタ40の下降を防止している。
（頭部プロテクタ40）
頭部プロテクタ40は、脳の発達が未完成段階の新生児期の赤ちゃんの脳及び首を保護するものである。
【００３４】
なお、頭部プロテクタ40は、新生児期の赤ちゃんに限定されず、新生児及び乳児を含む年少者に使用可能なものである。
具体的には、頭部プロテクタ40は、略Ｕ字型に屈曲し、左右の頭部用のサイドサポート35の対向間隔内に上下動可能に配置される。
（高さ調整装置50）
高さ調整装置50は、頭部プロテクタ40の高さを調整するためのものであり、２個使用される。
【００３５】
なお、高さ調整装置50の個数は、２個に限定されず、１個だけ使用しても良い。
具体的には、高さ調整装置50は、図３〜４に示すように、大別すると、次のパーツを備える。
（１）ベルト60
（２）スライダー70
なお、高さ調整装置50のパーツは、上記した（１）〜（２）に限定されない。
（ベルト60）
ベルト60は、図１〜２に示すように、２本使用され、左右の頭部用のサイドサポート35の上下方向に沿ってそれぞれ取り付けられるものである。
【００３６】
なお、ベルト60の本数は、１本でも良く、その場合には左右の頭部用のサイドサポート35のいずれか一方に取り付ければ良い。
具体的には、ベルト60は、図３〜４及び図１２〜１３に示すように、薄い帯状に形成され、その上端部を自由端部61として、下端部には、帯幅方向にＴ字形に張り出した取付部62を形成する。そして、ベルト60は、適度な弾性と剛性とを有する樹脂で一体成形されている。
【００３７】
ベルト60の表面には、図３〜４に示すように、スライダー70のスライド方向に沿ってロック溝63を複数設けている。
上記ロック溝63は、図３に示すように、断面が鋸刃状の凸部の間隔内に形成される。具体的には、凸部は、切り立った直立面64と、その頂点から自由端部61に向かって下り傾斜したテーパー面65とから構成されている。
【００３８】
一方、左右の頭部用のサイドサポート35には、図１〜２に示すように、ベルト60の自由端部61を差し込み可能なポケット部36をそれぞれ設けている。
ポケット部36は、図示しないが、サイドサポート35の外側を包むカバーに形成されている。
そして、ベルト60は、図１〜２に示すように、その取付部62を、サイドサポート35内に埋設状に固定する。そして、ベルト60の自由端部61を、蛇行させながらサイドサポート35の表面に導き出し、ポケット部36に差し込んで収納する。
（スライダー70）
スライダー70は、図１〜２に示すように、２個使用され、頭部プロテクタ40の左右両側にそれぞれ固定され、左右の各ベルト60の長手方向に沿ってスライド可能に保持されるものである。
【００３９】
なお、スライダー70の個数は、ベルト60と同様に、２個に限定されず、１個でも良く、その場合には、頭部プロテクタ40の片側の側部に固定すれば良い。
具体的には、スライダー70は、図３〜１１に示すように、上下面が開口した断面ロ字形の中空部71を備え、その中空部71にはベルト60が通る。
中空部71は、図５〜１１に示すように、ベルト60の裏面に摺接するベース部72と、ベース部72の両端部から直立する左右のサイド部73,73と、左右のサイド部73に橋渡されたカバー部74とを備える。そして、スライダー70は、適度な弾性と剛性とを有する樹脂で一体成形されている。
【００４０】
ベース部72は、図５〜６に示すように、上下方向に長く延びている。
カバー部74には、図５〜６に示すように、ストッパー80を設けている。
具体的には、ストッパー80は、図５〜６に示すように、カバー部74に形成したコ字形の切り欠きで囲まれた弾性片81と、弾性片81の内面から中空部71内に向かって延び、ロック溝63にはまり込む断面が鋸刃状の爪部82とを備える。
【００４１】
爪部82は、図６において下方から上方に向かって斜めに傾斜して延び、ベース部72に向かって次第に接近する。
左右のサイド部73には、図５及び図８に示すように、左右一対のロック解除操作部90を設けている。
左右のロック解除操作部90は、図５及び図８〜１０に示すように、ヒンジ部91を介して左右のサイド部73に連続し、その内面には、中空部71内に向かって突出する押圧部92を設けている。
【００４２】
これに対し、弾性片81の内面には、図９〜１０に示すように、爪部82の左右両側に位置し、中空部71に向かって突出する左右一対のカム部83を設けている。左右のカム部83には、左右の押圧部92にそれぞれ対向する側面に斜面をそれぞれ有する。そして、左右のカム部83の各斜面が左右の押圧部92に押されることで、弾性片81を撓ませ、爪部82をロック溝63から浮上させるためのものである。
（高さ調整装置50の使用方法）
上記した構成を備える高さ調整装置50の使用方法については、以下に簡単に説明する。
【００４３】
まず、頭部プロテクタ40の左右両側には、図１〜２に示すように、スライダー70をそれぞれ固定する。
また、チャイルドシート10の左右の頭部用のサイドサポート35には、図１〜２に示すように、ベルト60をそれぞれ固定する。
そして、左右のスライダー70の中空部71の開口面に合わせて、図１〜４に示すように、左右のベルト60の自由端部61をそれぞれ差し込み、各スライダー70にベルト60を通しておく。
【００４４】
このとき、スライダー70の爪部82は、図４に示すように、ベルト60のロック溝63の一つにはまり込んでいる。
また、左右のベルト60の自由端部61は、図１〜２に示すように、左右の頭部用のサイドサポート35のポケット部36にそれぞれ差し込んで収納する。これにより、ベルト60の自由端部61のバタ付きを防止することができる。
【００４５】
一方、頭部プロテクタ40を上昇させる場合には、スライダー70の左右のロック解除操作部90を、指で摘むようにして、互いに接近させる。
左右のロック解除操作部90を互いに接近させると、左右の押圧部92により左右のカム部83が押され、弾性片81が撓み、爪部82がロック溝63から浮上する。
このため、高さ調整装置50のロック状態が解除され、頭部プロテクタ40の上昇が可能となる。そして、頭部プロテクタ40の高さを決定後、左右のロック解除操作部90から指を離すと、弾性片81が樹脂の弾性復元力により復元することで、爪部82がロック溝63の一つにはまり込むことで、頭部プロテクタ40の上昇は阻止される。
【００４６】
なお、頭部プロテクタ40の上昇方向の移動は、赤ちゃんの頭部から離れる方向の移動であるため、不用意に頭部プロテクタ40が上昇しないように、ストッパー80で頭部プロテクタ40の上昇を阻止している。
なお、指で押されていたロック解除操作部90は、ヒンジ部91の弾性復元力により復元する。
【００４７】
これに対し、頭部プロテクタ40を下降させる場合には、頭部プロテクタ40を持って下降させるだけで良い。
頭部プロテクタ40を下降させると、爪部82がロック溝63のテーパー面65に押されることで、弾性片81の弾性力に抗して、爪部82がロック溝63から跳ね上げられる。
このため、爪部82がロック溝63を一つ一つ乗り越えるようにして、頭部プロテクタ40の下降を許容する。
【００４８】
そして、頭部プロテクタ40の下降を止めると、弾性片81が樹脂の弾性復元力により復元することで、爪部82がロック溝63の一つにはまり込むことで、頭部プロテクタ40が当該位置でロックされる。
頭部プロテクタ40の最下降位置は、左右の頭部用のサイドサポート35の対向間隔により規制される。すなわち、頭部用のサイドサポート35の下端部の左右の対向間隔は、頭部用のサイドサポート35の左右の横幅未満に設定していることから、頭部プロテクタ40はそれ以上下降できなくなる。
【００４９】
一方、頭部プロテクタ40をチャイルドシート10から外す場合には、ベルト60をスライダー70の中空部71内から抜き取れば良い。すなわち、ベルト60の自由端部61をポケット部36から抜き、頭部プロテクタ40を上昇させる場合と同様に、ストッパー80のロック状態を解除させた状態で、ベルト60の自由端部61をスライダー70の中空部71内から抜き取れば良い。
【図面の簡単な説明】
【００５０】
【図１】チャイルドシートの斜視図である。
【図２】チャイルドシートの平面図である。
【図３】高さ調整装置の平面図である。
【図４】高さ調整装置の一部を断面にした側面図である。
【図５】スライダーの一部を切り欠いた平面図である。
【図６】スライダーの縦断面図である。
【図７】スライダーの側面図である。
【図８】スライダーの背面図である。
【図９】図５のIX-IX線に断面図である。
【図１０】図５のX-X線に断面図である。
【図１１】図１０のXI-XI線に断面図である。
【図１２】ベルトの側面図である。
【図１３】ベルトの背面図である。
【符号の説明】
【００５１】
10  チャイルドシート          20  座部
21  バックル                  22  股ベルト
23  胴体用のサイドサポート    30  背もたれ部
31  肩掛けベルト              32  タングプレート
33  腰ベルト                  34  ヘッドレスト
35  頭部用のサイドサポート    36  ポケット部
40  頭部プロテクタ            50  高さ調整装置
60  ベルト                    61  自由端部
62  取付部                    63  ロック溝
64  直立面                    65  テーパー面
70  スライダー                71  中空部
72  ベース部                  73  サイド部
74  カバー部                  80  ストッパー
81  弾性片                    82  爪部
83  カム部                    90  ロック解除操作部
91  ヒンジ部                  92  押圧部
【図１】
2005075169.tif 000003
【図２】
2005075169.tif 000004
【図３】
2005075169.tif 000005
【図４】
2005075169.tif 000006
【図５】
2005075169.tif 000007
【図６】
2005075169.tif 000008
【図７】
2005075169.tif 000009
【図８】
2005075169.tif 000010
【図９】
2005075169.tif 000011
【図１０】
2005075169.tif 000012
【図１１】
2005075169.tif 000013
【図１２】
2005075169.tif 000014
【図１３】
2005075169.tif 000015